(57)【要約】 【課題】  子機から親機への外線通話の転送操作を簡略化した操作性のよい電話装置を提供する。【解決手段】  ユーザが子機２０を用いて外線通話を行っているときに、充電器接続部２８と子機接続部３１とが接続するように、子機２０を子機充電器３０に載置すると、子機２０の制御回路２１が、充電器接続部２８と子機接続部３１との接続を検出する。制御回路２１は、充電器接続部２８と子機接続部３１との接続を検出すると、充電器接続信号を親機１０に対して送信して、親機１０の呼出しを行う。親機１０では、充電器接続信号を受信すると、制御回路１１が内線着信を行い、子機２０が行っている外線通話を親機１０で行うように切り換える。【選択図】      図３
2005094139.tif 000002
【特許請求の範囲】
【請求項１】
公衆電話回線網に接続され、公衆電話回線網を介して相手側の電話装置と外線通話を行う親機と、
親機と無線通信を行い、親機を介して外線通話を行う子機と、
子機と電気的に接続可能に構成され、子機と接続したときに子機に内蔵された蓄電池を充電する子機充電器とを有する電話装置において、
外線通話を行っている子機と子機充電器とを電気的に接続したときに、子機が行っている外線通話を親機に転送することを特徴とする電話装置。
【請求項２】
子機は、表示部を有し、親機と着脱可能に構成され、親機に装着した状態では親機から入力される画像データを表示部に表示し、親機から離脱した状態では親機と無線通信を行い、親機を介して外線通話を行う表示部着脱式子機であり、
親機から離脱した状態で外線通話を行っている表示部着脱式子機と親機とを接続したときに、表示部着脱式子機が行っている外線通話を親機に転送することを特徴とする請求項１記載の電話装置。
【請求項３】
公衆電話回線網に接続され、公衆電話回線網を介して相手側の電話装置と外線通話を行う親機と、
親機と無線通信を行い、親機を介して外線通話を行う子機と、
子機と電気的に接続可能に構成され、子機と接続したときに子機に内蔵された蓄電池を充電する子機充電器とを有する電話装置において、
親機は、
子機との無線通信を行う親機側無線通信手段と、
子機との無線通信および相手側電話装置との外線通話の制御を行う親機側制御手段と、
子機と子機充電器とが電気的に接続したことを検出する親機側接続検出手段とを備え、
子機は、
親機との無線通信を行う子機側無線通信手段と、
親機との無線通信および親機を介した外線通話の制御を行う子機側制御手段とを備え、
親機側制御手段は、子機が外線通話を行っているときに、親機側接続検出手段が、子機と子機充電器との接続を検出すると、子機が行っている外線通話を親機に転送することを特徴とする電話装置。
【請求項４】
親機は、子機から親機への外線通話の転送を行うかどうかを示す転送設定情報を記憶する親機側転送設定記憶手段をさらに備え、
親機側制御手段は、親機側接続検出手段が子機と子機充電器との接続を検出すると、親機側転送設定記憶手段に記憶されている転送設定情報を参照し、子機から親機への外線通話の転送を行うように設定されている場合は、子機が行っている外線通話を親機に転送することを特徴とする請求項３記載の電話装置。
【請求項５】
公衆電話回線網に接続され、公衆電話回線網を介して相手側の電話装置と外線通話を行う親機と、
親機と無線通信を行い、親機を介して外線通話を行う子機と、
子機と電気的に接続可能に構成され、子機と接続したときに子機に内蔵された蓄電池を充電する子機充電器とを有する電話装置において、
親機は、
子機との無線通信を行う親機側無線通信手段と、
子機との無線通信および相手側電話装置との外線通話の制御を行う親機側制御手段とを備え、
子機は、
親機との無線通信を行う子機側無線通信手段と、
親機との無線通信および親機を介した外線通話の制御を行う子機側制御手段と、
子機と子機充電器とが電気的に接続したことを検出する子機側接続検出手段とを備え、
子機側制御手段は、親機を介して外線通話を行っているときに、子機側接続検出手段が、子機と子機充電器との接続を検出すると、子機側無線通信手段を介して検出結果を親機に送信し、
親機側制御手段は、親機側無線通信手段を介して子機側接続検出手段の検出結果を受信すると、子機が行っている外線通話を親機に転送することを特徴とする電話装置。
【請求項６】
親機は、子機から親機への外線通話の転送を行うかどうかを示す転送設定情報を記憶する親機側転送設定記憶手段をさらに備え、
親機側制御手段は、親機側無線通信手段を介して接続検出手段の検出結果を受信すると、親機側転送設定記憶手段に記憶されている転送設定情報を参照し、子機から親機への外線通話の転送を行うように設定されている場合は、子機が行っている外線通話を親機に転送することを特徴とする請求項５記載の電話装置。
【請求項７】
子機は、子機から親機への外線通話の転送を行うかどうかを示す転送設定情報を記憶する子機側転送設定記憶手段をさらに備え、
子機側制御手段は、親機を介して外線通話を行っているときに、子機側接続検出手段が、子機と子機充電器との接続を検出すると、子機側転送設定記憶手段に記憶されている転送設定情報を参照し、子機から親機への外線通話の転送を行うように設定されている場合は、子機側無線通信手段を介して子機側接続検出手段の検出結果を親機に送信し、
親機側制御手段は、親機側無線通信手段を介して検出結果を受信すると、子機が行っている外線通話を親機に転送することを特徴とする請求項５記載の電話装置。
【請求項８】
子機は、ユーザが操作することで子機から親機への外線通話の転送を行うかどうかを選択する選択手段をさらに備え、
子機側制御手段は、親機を介して外線通話を行っているときに、子機側接続検出手段が、子機と子機充電器との接続を検出すると、選択手段を動作させ、選択手段が子機から親機へ外線通話を転送することを選択すると、子機側無線通信手段を介して検出結果を親機に送信し、
親機側制御手段は、親機側無線通信手段を介して子機側接続検出手段の検出結果を受信すると、子機が行っている外線通話を親機に転送することを特徴とする請求項５記載の電話装置。
【請求項９】
子機は、ユーザが操作することによって、子機から親機への外線通話の転送を行うかどうかを選択する選択手段をさらに備え、
子機側制御手段は、親機を介して外線通話を行っているときに、子機側接続検出手段が、子機と子機充電器との接続を検出すると、子機側転送設定記憶手段に記憶されている転送設定情報を参照し、
子機から親機への外線通話の転送を行うように設定されている場合は、選択手段を動作させ、
選択手段が子機から親機へ外線通話を転送することを選択すると、子機側無線通信手段を介して検出結果を親機に送信し、
親機側制御手段は、親機側無線通信手段を介して子機側接続検出手段の検出結果を受信すると、子機が行っている外線通話を親機に転送することを特徴とする請求項７記載の電話装置。
【請求項１０】
親機側制御手段は、子機が行っている外線通話を親機に転送する際に、内線着信を行うとともに外線通話を保留し、所定の操作が行われると外線通話を行うことを特徴とする請求項３〜９のいずれか１つに記載の電話装置。
【請求項１１】
親機は、子機が行っている外線通話を親機に転送する際に行う内線着信の継続時間を記憶する内線着信時間記憶手段をさらに備え、
親機側制御手段は、子機が行っている外線通話を親機に転送する際に、内線着信を、内線着信時間記憶手段に記憶されている継続時間行うことを特徴とする請求項１０記載の電話装置。
【請求項１２】
子機は、複数あり、
親機側制御手段は、子機が行っている外線通話を、少なくとも親機または他の子機に転送することを特徴とする請求項３〜１１のいずれか１つに記載の電話装置。
【請求項１３】
親機は、子機が行っている外線通話の転送先を示す外線転送先情報を記憶する外線転送先記憶手段をさらに備え、
親機側制御手段は、外線転送先記憶手段に記憶されている外線転送先情報に基づいて、子機が行っている外線通話を転送することを特徴とする請求項１２記載の電話装置。
【発明の詳細な説明】
【技術分野】
【０００１】
本発明は、公衆電話回線網を介して相手側の電話装置と外線通話を行う親機と、親機を介して外線通話を行う子機と、子機に内蔵された蓄電池を充電する子機充電器とを有する電話装置に関する。
【背景技術】
【０００２】
公衆電話回線網に接続する親機と、その親機と無線接続する１または複数のコードレス子機とからなる電話装置においては、外線通話中にその通話を親機から子機、または子機から親機へ転送することができる。しかし、転送を行うための操作手順は煩雑なものとなっている。たとえば、親機から子機へ転送する場合、親機側で外線通話を保留して転送先の子機を呼出し、子機側で応答すると、内線通話状態となる。その後、親機で転送操作を行うことで転送が完了する。
【０００３】
このような操作を簡略化するために、特許文献１記載の親機から子機への自動外線通話転送方法では、外線通話を保留後、転送先の子機を呼出し中に、親機のスピーカーホンキーを押下することによって擬似待機状態をつくり、呼出し先の子機が応答することによって、内線通話を必要とせずに自動通話転送を行っている。
【０００４】
また、通話転送に関する技術ではないが、操作の簡略化を目的とした従来技術として特許文献２記載のコードレス電話機の自動交信待機装置がある。このコードレス電話機の自動交信待機装置は、親機のクレイドル上に子機を載置すると子機内の充電池が充電可能となるコードレス電話機に備えられ、子機内の充電池から発信回路への電源ライン中に、充電電流を検出してラインを開放するスイッチング素子を介挿している。これによって、子機をクレイドルに載置しただけで送信回路を休止することができる。
【０００５】
また、着脱する表示部が子機として機能する電話装置では、離脱した子機を親機に装着した時点で電話回線を閉じてしまい通話を終了する構成となっている。
【０００６】
【特許文献１】特開２００２−７７３７６号公報
【特許文献２】特開昭５８−１７７０３８号公報
【発明の開示】
【発明が解決しようとする課題】
【０００７】
特許文献１記載の自動外線通話転送方法は、親機のスピーカーホンキーを押下するなど親機から子機への転送方法であって、子機から親機への転送については簡略化されていない。
【０００８】
本発明の目的は、子機から親機への外線通話の転送操作を簡略化した操作性のよい電話装置を提供することである。
【課題を解決するための手段】
【０００９】
本発明は、公衆電話回線網に接続され、公衆電話回線網を介して相手側の電話装置と外線通話を行う親機と、
親機と無線通信を行い、親機を介して外線通話を行う子機と、
子機と電気的に接続可能に構成され、子機と接続したときに子機に内蔵された蓄電池を充電する子機充電器とを有する電話装置において、
外線通話を行っている子機と子機充電器とを電気的に接続したときに、子機が行っている外線通話を親機に転送することを特徴とする電話装置である。
【００１０】
また本発明は、子機は、表示部を有し、親機と着脱可能に構成され、親機に装着した状態では親機から入力される画像データを表示部に表示し、親機から離脱した状態では親機と無線通信を行い、親機を介して外線通話を行う表示部着脱式子機であり、
親機から離脱した状態で外線通話を行っている表示部着脱式子機と親機とを接続したときに、表示部着脱式子機が行っている外線通話を親機に転送することを特徴とする。
【００１１】
また本発明は、公衆電話回線網に接続され、公衆電話回線網を介して相手側の電話装置と外線通話を行う親機と、
親機と無線通信を行い、親機を介して外線通話を行う子機と、
子機と電気的に接続可能に構成され、子機と接続したときに子機に内蔵された蓄電池を充電する子機充電器とを有する電話装置において、
親機は、
子機との無線通信を行う親機側無線通信手段と、
子機との無線通信および相手側電話装置との外線通話の制御を行う親機側制御手段と、
子機と子機充電器とが電気的に接続したことを検出する親機側接続検出手段とを備え、
子機は、
親機との無線通信を行う子機側無線通信手段と、
親機との無線通信および親機を介した外線通話の制御を行う子機側制御手段とを備え、
親機側制御手段は、子機が外線通話を行っているときに、親機側接続検出手段が、子機と子機充電器との接続を検出すると、子機が行っている外線通話を親機に転送することを特徴とする電話装置である。
【００１２】
また本発明は、親機は、子機から親機への外線通話の転送を行うかどうかを示す転送設定情報を記憶する親機側転送設定記憶手段をさらに備え、
親機側制御手段は、親機側接続検出手段が子機と子機充電器との接続を検出すると、親機側転送設定記憶手段に記憶されている転送設定情報を参照し、子機から親機への外線通話の転送を行うように設定されている場合は、子機が行っている外線通話を親機に転送することを特徴とする。
【００１３】
また本発明は、公衆電話回線網に接続され、公衆電話回線網を介して相手側の電話装置と外線通話を行う親機と、
親機と無線通信を行い、親機を介して外線通話を行う子機と、
子機と電気的に接続可能に構成され、子機と接続したときに子機に内蔵された蓄電池を充電する子機充電器とを有する電話装置において、
親機は、
子機との無線通信を行う親機側無線通信手段と、
子機との無線通信および相手側電話装置との外線通話の制御を行う親機側制御手段とを備え、
子機は、
親機との無線通信を行う子機側無線通信手段と、
親機との無線通信および親機を介した外線通話の制御を行う子機側制御手段と、
子機と子機充電器とが電気的に接続したことを検出する子機側接続検出手段とを備え、
子機側制御手段は、親機を介して外線通話を行っているときに、子機側接続検出手段が、子機と子機充電器との接続を検出すると、子機側無線通信手段を介して検出結果を親機に送信し、
親機側制御手段は、親機側無線通信手段を介して子機側接続検出手段の検出結果を受信すると、子機が行っている外線通話を親機に転送することを特徴とする電話装置である。
【００１４】
また本発明は、親機は、子機から親機への外線通話の転送を行うかどうかを示す転送設定情報を記憶する親機側転送設定記憶手段をさらに備え、
親機側制御手段は、親機側無線通信手段を介して接続検出手段の検出結果を受信すると、親機側転送設定記憶手段に記憶されている転送設定情報を参照し、子機から親機への外線通話の転送を行うように設定されている場合は、子機が行っている外線通話を親機に転送することを特徴とする。
【００１５】
また本発明は、子機は、子機から親機への外線通話の転送を行うかどうかを示す転送設定情報を記憶する子機側転送設定記憶手段をさらに備え、
子機側制御手段は、親機を介して外線通話を行っているときに、子機側接続検出手段が、子機と子機充電器との接続を検出すると、子機側転送設定記憶手段に記憶されている転送設定情報を参照し、子機から親機への外線通話の転送を行うように設定されている場合は、子機側無線通信手段を介して子機側接続検出手段の検出結果を親機に送信し、
親機側制御手段は、親機側無線通信手段を介して検出結果を受信すると、子機が行っている外線通話を親機に転送することを特徴とする。
【００１６】
また本発明は、子機は、ユーザが操作することで子機から親機への外線通話の転送を行うかどうかを選択する選択手段をさらに備え、
子機側制御手段は、親機を介して外線通話を行っているときに、子機側接続検出手段が、子機と子機充電器との接続を検出すると、選択手段を動作させ、選択手段が子機から親機へ外線通話を転送することを選択すると、子機側無線通信手段を介して検出結果を親機に送信し、
親機側制御手段は、親機側無線通信手段を介して子機側接続検出手段の検出結果を受信すると、子機が行っている外線通話を親機に転送することを特徴とする。
【００１７】
また本発明は、子機は、ユーザが操作することによって、子機から親機への外線通話の転送を行うかどうかを選択する選択手段をさらに備え、
子機側制御手段は、親機を介して外線通話を行っているときに、子機側接続検出手段が、子機と子機充電器との接続を検出すると、子機側転送設定記憶手段に記憶されている転送設定情報を参照し、
子機から親機への外線通話の転送を行うように設定されている場合は、選択手段を動作させ、
選択手段が子機から親機へ外線通話を転送することを選択すると、子機側無線通信手段を介して検出結果を親機に送信し、
親機側制御手段は、親機側無線通信手段を介して子機側接続検出手段の検出結果を受信すると、子機が行っている外線通話を親機に転送することを特徴とする。
【００１８】
また本発明は、親機側制御手段は、子機が行っている外線通話を親機に転送する際に、内線着信を行うとともに外線通話を保留し、所定の操作が行われると外線通話を行うことを特徴とする。
【００１９】
また本発明は、親機は、子機が行っている外線通話を親機に転送する際に行う内線着信の継続時間を記憶する内線着信時間記憶手段をさらに備え、
親機側制御手段は、子機が行っている外線通話を親機に転送する際に、内線着信を、内線着信時間記憶手段に記憶されている継続時間行うことを特徴とする。
【００２０】
また本発明は、子機は、複数あり、
親機側制御手段は、子機が行っている外線通話を、少なくとも親機または他の子機に転送することを特徴とする。
【００２１】
また本発明は、親機は、子機が行っている外線通話の転送先を示す外線転送先情報を記憶する外線転送先記憶手段をさらに備え、
親機側制御手段は、外線転送先記憶手段に記憶されている外線転送先情報に基づいて、子機が行っている外線通話を転送することを特徴とする。
【発明の効果】
【００２２】
本発明によれば、電話装置は親機、子機および子機充電器を有し、親機は、公衆電話回線網に接続され、公衆電話回線網を介して相手側の電話装置と外線通話を行い、子機は、親機と無線通信を行い、親機を介して外線通話を行い、子機充電器は、子機と電気的に接続可能に構成され、子機と接続したときに子機に内蔵された蓄電池を充電する。
【００２３】
子機が親機を介して外線通話を行っている状態で、子機と子機充電器とが電気的に接続すると、子機が行っている外線通話が親機に転送される。
【００２４】
このように、ユーザは、子機と子機充電器とを電気的に接続させる操作、たとえば子機を子機充電器に載置するだけで、外線通話を子機から親機に転送することができるので、転送操作を簡略化し、操作性を向上させることができる。
【００２５】
また本発明によれば、子機は、表示部を有しており、親機と着脱可能に構成された、いわゆる表示部着脱式子機である。この表示部着脱式子機が親機に装着された状態では、親機から入力される画像データが表示部に表示され、親機から離脱した状態では、親機と無線通信を行い、親機を介して外線通話を行う。
【００２６】
表示部着脱式子機が、親機から離脱した状態で外線通話を行っているときに、親機と接続させると、表示部着脱式子機が行っている外線通話が親機に転送される。
【００２７】
このように、子機が表示部着脱式の子機であった場合、ユーザは、表示部着脱式子機と親機とを接続させるだけで、外線通話を表示部着脱式子機から親機に転送することができるので、転送操作を簡略化し、操作性を向上させることができる。
【００２８】
また本発明によれば、電話装置は親機、子機および子機充電器を有し、親機は、公衆電話回線網に接続され、公衆電話回線網を介して相手側の電話装置と外線通話を行い、子機は、親機と無線通信を行い、親機を介して外線通話を行い、子機充電器は、子機と電気的に接続可能に構成され、子機と接続したときに子機に内蔵された蓄電池を充電する。
【００２９】
詳細には、親機は、子機との無線通信を行う親機側無線通信手段と、子機との無線通信および相手側電話装置との外線通話の制御を行う親機側制御手段と、子機と子機充電器とが電気的に接続したことを検出する親機側接続検出手段とを備え、子機は、親機との無線通信を行う子機側無線通信手段と、親機との無線通信および親機を介した外線通話の制御を行う子機側制御手段とを備える。
【００３０】
子機が外線通話を行っているときに、親機側接続検出手段が、子機と子機充電器との接続を検出すると、親機側制御手段は、子機が行っている外線通話を親機に転送する。
【００３１】
このように、ユーザは、子機と子機充電器とを電気的に接続させる操作、たとえば子機を子機充電器に載置するだけで、外線通話を子機から親機に転送することができるので、転送操作を簡略化し、操作性を向上させることができる。
【００３２】
また本発明によれば、親機は、子機から親機への外線通話の転送を行うかどうかを示す転送設定情報を記憶する親機側転送設定記憶手段をさらに備えている。
【００３３】
親機側接続検出手段が子機と子機充電器との接続を検出すると、親機側制御手段は、まず、親機側転送設定記憶手段に記憶されている転送設定情報を参照する。ここで、転送設定情報において、子機から親機への外線通話の転送を行うように設定されている場合は、子機が行っている外線通話を親機に転送する。
【００３４】
これにより、子機から親機への外線通話の転送を行うかどうかを予め設定することができるので、利便性が向上する。
【００３５】
また本発明によれば、電話装置は親機、子機および子機充電器を有し、親機は、公衆電話回線網に接続され、公衆電話回線網を介して相手側の電話装置と外線通話を行い、子機は、親機と無線通信を行い、親機を介して外線通話を行い、子機充電器は、子機と電気的に接続可能に構成され、子機と接続したときに子機に内蔵された蓄電池を充電する。
【００３６】
詳細には、親機は、子機との無線通信を行う親機側無線通信手段と、子機との無線通信および相手側電話装置との外線通話の制御を行う親機側制御手段とを備え、子機は、親機との無線通信を行う子機側無線通信手段と、親機との無線通信および親機を介した外線通話の制御を行う子機側制御手段と、子機と子機充電器とが電気的に接続したことを検出する子機側接続検出手段とを備えている。
【００３７】
子機が親機を介して外線通話を行っているときに、子機側接続検出手段が、子機と子機充電器との接続を検出すると、子機側制御手段は、子機側無線通信手段を介して検出結果を親機に送信する。
【００３８】
親機側制御手段は、親機側無線通信手段を介して子機側接続検出手段の検出結果を受信すると、子機が行っている外線通話を親機に転送する。
【００３９】
このように、ユーザは、子機と子機充電器とを電気的に接続させる操作だけで、外線通話を子機から親機に転送することができるので、転送操作を簡略化し、操作性を向上させることができる。
【００４０】
また本発明によれば、親機は、子機から親機への外線通話の転送を行うかどうかを示す転送設定情報を記憶する親機側転送設定記憶手段をさらに備えている。
【００４１】
親機側無線通信手段を介して接続検出手段の検出結果を受信すると、親機側制御手段は、まず親機側転送設定記憶手段に記憶されている転送設定情報を参照する。ここで、転送設定情報において、子機から親機への外線通話の転送を行うように設定されている場合は、子機が行っている外線通話を親機に転送する。
【００４２】
これにより、子機から親機への外線通話の転送を行うかどうかを予め設定することができるので、利便性が向上する。
【００４３】
また本発明によれば、子機は、子機から親機への外線通話の転送を行うかどうかを示す転送設定情報を記憶する子機側転送設定記憶手段をさらに備えている。
【００４４】
親機を介して外線通話を行っているときに、子機側接続検出手段が、子機と子機充電器との接続を検出すると、子機側制御手段は、まず子機側転送設定記憶手段に記憶されている転送設定情報を参照する。ここで、転送設定情報において、子機から親機への外線通話の転送を行うように設定されている場合は、子機側無線通信手段を介して子機側接続検出手段の検出結果を親機に送信する。
【００４５】
親機側制御手段は、親機側無線通信手段を介して検出結果を受信すると、子機が行っている外線通話を親機に転送する。
【００４６】
これにより、子機から親機への外線通話の転送を行うかどうかを予め設定することができるので、利便性が向上する。
【００４７】
また本発明によれば、子機は、ユーザが操作することで子機から親機への外線通話の転送を行うかどうかを選択する選択手段をさらに備えている。
【００４８】
親機を介して外線通話を行っているときに、子機側接続検出手段が、子機と子機充電器との接続を検出すると、子機側制御手段は、選択手段を動作させる。選択手段が子機から親機へ外線通話を転送することを選択すると、子機側制御手段は、子機側無線通信手段を介して検出結果を親機に送信する。
【００４９】
親機側制御手段は、親機側無線通信手段を介して子機側接続検出手段の検出結果を受信すると、子機が行っている外線通話を親機に転送する。
【００５０】
これにより、ユーザは、子機と子機充電器との接続が検出されたとき、すなわち、子機を子機充電器に載置したときに外線通話の転送を行うかどうかを選択することができるので、利便性が向上する。
【００５１】
また本発明によれば、子機は、ユーザが操作することによって、子機から親機への外線通話の転送を行うかどうかを選択する選択手段をさらに備えている。
【００５２】
親機を介して外線通話を行っているときに、子機側接続検出手段が、子機と子機充電器との接続を検出すると、子機側制御手段は、まず子機側転送設定記憶手段に記憶されている転送設定情報を参照する。
【００５３】
転送設定情報において、子機から親機への外線通話の転送を行うように設定されている場合、子機側制御手段は、選択手段を動作させる。
【００５４】
選択手段が子機から親機へ外線通話を転送することを選択すると、子機側制御手段は、子機側無線通信手段を介して検出結果を親機に送信する。
【００５５】
親機側制御手段は、親機側無線通信手段を介して子機側接続検出手段の検出結果を受信すると、子機が行っている外線通話を親機に転送する。
【００５６】
これにより、子機から親機への外線通話の転送を行うかどうかを、予め設定することができ、子機と子機充電器との接続が検出されたときにも転送を行うかどうかを選択することができるので、さらに利便性が向上する。
【００５７】
また本発明によれば、親機側制御手段は、子機が行っている外線通話を親機に転送する際に、内線着信を行うとともに外線通話を保留し、所定の操作が行われると外線通話を行う。
【００５８】
また本発明によれば、親機は、子機が行っている外線通話を親機に転送する際に行う内線着信の継続時間を記憶する内線着信時間記憶手段をさらに備えている。
【００５９】
親機側制御手段は、子機が行っている外線通話を親機に転送する際に、内線着信を、内線着信時間記憶手段に記憶されている継続時間行う。
【００６０】
これにより、転送先の親機を操作するユーザがいないような場合であっても、親機における内線着信を所定の時間で終了させることができる。なお、内線着信を継続時間行った後は、たとえば外線通話を行っていた電話回線を切断したり、転送しようとしていた子機で再度外線通話を行うこともできる。
【００６１】
また本発明によれば、子機は、複数あり、親機側制御手段は、子機が行っている外線通話を、少なくとも親機または他の子機に転送する。
【００６２】
これにより、親機だけでなく他の子機にも外線通話を転送することができるので、利便性が向上する。
【００６３】
また本発明によれば、親機は、子機が行っている外線通話の転送先を示す外線転送先情報を記憶する外線転送先記憶手段をさらに備えている。
【００６４】
親機側制御手段は、外線転送先記憶手段に記憶されている外線転送先情報に基づいて、子機が行っている外線通話を転送する。
これにより、外線通話の転送先を予め設定することができるので、利便性が向上する。
【発明を実施するための最良の形態】
【００６５】
図１は、本発明の第１の実施形態である電話装置１の構成を示す図である。
電話装置１は、親機１０、子機２０および子機充電器３０を有する。親機１０は、公衆電話回線網に接続され、公衆電話回線網を介して相手側の電話装置などと外線通話を行う。外線通話を行うためには、相手側の電話装置との通話回線を確立する必要がある。たとえば、電話装置１が発信側である場合について、回線確立の過程を説明すると、まず、ユーザによって親機１０が備えるハンドセットが持ち上げられ、オフフックされると、電話装置１と交換機との間で回路が形成され、この回路を交換機から供給された直流電流が流れる。交換機は回路を流れる直流電流を検出し、電話装置１がオフフックされたことを認識する。ユーザによって親機１０のダイヤルキーなどが操作されて相手側電話装置の電話番号が入力されると、電話装置１は交換機に対してダイヤル信号を送出する。交換機は、受信したダイヤル信号に基づいて相手側電話装置の位置を探索する。
【００６６】
電話装置１と相手側電話装置とが同じ交換機に収容されている場合は、交換機は相手側電話装置に呼出信号を送出し、電話装置１に呼出音（リングバックトーン）を送出する。相手側電話装置が、他の交換機に収容されている場合、電話装置１を収容している交換機は、相手側電話装置を収容している交換機との回線を確保し、相手側電話機を収容している交換機が、相手側電話装置に対して呼出信号を送出する。
【００６７】
相手側電話装置において相手側のユーザがハンドセットを持ち上げ、オフフックされると、交換機は応答信号を検出し、相手側電話装置との回線を確保することで、電話装置１と相手側電話装置との通信回線が確立する。
【００６８】
通信回線が確立している間は、電話装置１および相手側電話装置が、ともに音声信号の送受信を行うことで外線通話が可能となる。
【００６９】
電話装置１および相手側電話装置がオンフックされると、回路が開いて直流電流が流れなくなるため、交換機がこれを検出することで、通話回線が切断される。
【００７０】
このように、電話装置１は、自らが収容されている交換機とのやり取りを通じて相手側電話装置との外線通話を行う。
【００７１】
子機２０は、いわゆるコードレス子機であり、親機１０と無線通信を行い、親機１０を介して外線通話を行う。また、子機２０は、内蔵した蓄電池からの電源供給によって動作するため、子機充電器３０と電気的に接続することで蓄電池の充電を行う。子機充電器３０は、子機２０を載置しやすいように子機２０の形状に沿った形状をしており、子機２０と接触する部分に蓄電池充電用の充電器側接触端子が設けられている。子機２０には、子機充電器３０載置時にこの充電器側接触端子に対向して接触する子機側接触端子が設けられている。
【００７２】
従来の電話装置では、子機２０を子機充電器３０に載置して電気的に接続すると、子機２０は、子機側接触端子電圧の変化、または蓄電池に流れ込む電流の変化などを検知することにより、外線通話または内線通話を終了する。これに対して本発明では、予め設定しておくことで外線通話中に子機２０を子機充電器３０に接続すると、親機１０に外線通話の転送を行う。
【００７３】
１台の親機１０と無線接続する子機２０の数は１台とは限らず、複数台であってもよい。本実施形態では図１に示すように、１台の親機１０に対して３台の子機２０ａ，２０ｂ，２０ｃが無線接続しており、各子機は、それぞれ子機充電器３０ａ，３０ｂ，３０ｃに接続することで内蔵蓄電池の充電が可能となっている。
【００７４】
図２は、本発明の第２の実施形態である電話装置２の構成を示す図である。
電話装置２は、親機４０、表示部着脱式子機（以下では「表示部子機」と略称する。）５０および子機充電器６０を有する。表示部子機５０は、親機４０と着脱可能に構成され、親機４０と接続しているときは、主に親機４０の表示部として機能し、親機４０から離脱しているときは、コードレス子機として機能する。子機充電器６０は、表示部子機５０の親機４０と接続する接続端子と接続可能に構成され、表示部子機５０の内蔵蓄電池の充電を行う。
【００７５】
図３は、電話装置１の電気的構成を示すブロック図である。図３（ａ）は、親機１０の構成を示すブロック図であり、図３（ｂ）は、子機２０の構成を示すブロック図であり、図３（ｃ）は、子機充電器３０の構成を示すブロック図である。なお、子機２０ａ，２０ｂ，２０ｃおよび子機充電器３０ａ，３０ｂ，３０ｃはそれぞれ、同じ電気的構成である。
【００７６】
親機１０は、制御回路１１、無線回路１２、表示部１３、マイク１４、スピーカ１５、アンテナ１６および入力部１７を備える。子機２０は、制御回路２１、無線回路２２、表示部２３、マイク２４、スピーカ２５、アンテナ２６、入力部２７および充電器接続部２８を備える。子機充電器３０は、子機接続部３１および電源制御回路３２を備える。
【００７７】
親機１０の制御回路１１は、演算処理を行うＣＰＵ（中央演算処理装置）と記憶部を有し、記憶部に記憶している制御プログラムに基づき、親機１０全体の制御を行う親機側制御手段である。記憶部には、制御プログラム以外に、子機との無線通信を制御するための無線通信プログラム、アプリケーションプログラムなどの各種プログラム、電話番号とその使用者とを関連付けた電話帳データなどの各種データおよび後述する転送設定情報など各種設定情報が記憶される。また、制御回路１１は、公衆電話回線との接続インターフェースとして機能し、所定のプロトコルに則って外線通話における音声信号の送受信などを行う。無線回路１２は、子機２０と無線通信するためにアンテナ１６を介した音声信号の送受信、送受信する音声信号の変復調などを行う親機側無線通信手段である。表示部１３は、液晶表示装置などで実現され、親機１０および子機２０の動作状態、操作メニュー、エラーメッセージなどユーザに対して各種情報を表示して報知する。マイク１４は、ユーザの音声を取り込み、音声信号として制御回路１１に出力する。スピーカ１５は、制御回路１１から入力された音声信号を音声として外部に出力する。なお、マイク１４とスピーカ１４は、ハンドセットを構成する。入力部１７は、電話番号を入力するためのダイヤルキー、内線通話の発信、受信を行うための内線キーおよび各種機能を使用するためのファンクションキーなど複数のキーで構成される。
【００７８】
子機２０の制御回路２１は、演算処理を行うＣＰＵと記憶部を有し、記憶部に記憶している制御プログラムに基づき、子機２０全体の制御を行う子機側制御手段である。記憶部には、制御プログラム以外に、子機との無線通信を制御するための無線通信プログラム、アプリケーションプログラムなどの各種プログラム、電話番号とその使用者とを関連付けた電話帳データなどの各種データおよび転送設定情報など各種設定情報が記憶される。無線回路２２は、親機１０と無線通信するためにアンテナ２６を介した音声信号の送受信、送受信する音声信号の変復調などを行う子機側無線通信手段である。表示部２３は、液晶表示装置などで実現され、子機２０の動作状態、操作メニュー、エラーメッセージなどユーザに対して各種情報を報知する。マイク２４は、ユーザの音声を取り込み、音声信号として制御回路２１に出力する。スピーカは、制御回路２１から入力された音声信号を音声として外部に出力する。入力部２７は、電話番号を入力するためのダイヤルキー、内線通話の発信、受信を行うための内線キーおよび各種機能を使用するためのファンクションキーなど複数のキーで構成される。充電器接続部２８は、前述の子機側接触端子を有し、子機充電器３０に子機２０が載置されたときに充電器３０と電気的に接続することで内蔵蓄電池が充電される。
【００７９】
子機充電器３０の子機接続部３１は、子機２０の充電器接続部２８の子機側接触端子と接続する充電器側接触端子を有する。電源制御回路３２は、商用交流電源を充電に使用するために、トランスおよび整流器などで最適な電圧値、電流値に調整する。
【００８０】
親機１０および子機２０は、少なくとも、外線通話および内線通話を行う通話モードおよび記憶部に記憶している各種設定情報などを変更する設定モードの２つの動作モードを有し、ユーザの操作によっていずれのモードで動作するかを切り換えることができる。
【００８１】
ユーザは、親機１０の入力部１７を操作して電話番号を入力し、相手側電話装置と外線通話を行うことができ、子機２０の入力部２７を操作して電話番号を入力し、親機１０を介して外線通話を行うこともできる。また、親機１０と子機２０との間で内線通話を行うこともでき、たとえば子機２０ａと子機２０ｂとの間で子機間通話を行うことも可能である。
【００８２】
ユーザが子機２０を用いて外線通話を行っているときに、充電器接続部２８と子機接続部３１とが接続するように、子機２０を子機充電器３０に載置すると、子機２０の制御回路２１が、充電器接続部２８と子機接続部３１との接続を検出する。この検出は、たとえば、充電器接続部２８内の所定の部位、たとえば接触端子における電圧値または電流値の変化によって検出することができる。子機側接続検出手段である制御回路２１は、充電器接続部２８と子機接続部３１との接続を検出すると、検出結果である充電器接続信号を親機１０に対して送信して、親機１０の呼出しを行う。親機１０では、充電器接続信号を受信すると、制御回路１１が内線着信を行い、子機２０が行っている外線通話を親機１０で行うように切り換える。具体的には、子機２０との音声信号の無線通信を終了し、マイク１４からの音声信号の入力およびスピーカ１５への音声信号の出力を可能な状態とする。
【００８３】
内線着信時にユーザが親機１０に対して所定の操作を行うと、親機１０を用いて外線通話を開始することができる。所定の操作としては、入力部１７の内線キーなど予め定めたキーを押す、ハンドセットを持ち上げてオフフックにするなどの操作がある。
【００８４】
このように、外線通話中に子機２０を子機充電器３０に載置して電気的に接続するという極めて簡単な操作で、子機２０で行っていた外線通話を親機１０に転送することができる。
【００８５】
子機２０を子機充電器３０に接続したときに、外線通話の転送を行うか、従来通り回線切断を行うかは、ユーザが予め設定することができる。具体的には、親機側転送設定記憶手段である親機１０の記憶部に、外線通話の転送を行うか、回線切断を行うかを示す転送設定情報を記憶しておく第１の構成と、子機側転送設定記憶手段である子機２０の記憶部に転送設定情報を記憶しておくとともに、子機２０が子機充電器３０と接続したときに、子機２０から親機１０に対して充電器接続信号か、または回線切断指示信号のいずれかを送信する第２の構成とがある。
【００８６】
第１の構成の場合、親機１０が子機２０から充電器接続信号を受信したときに、制御回路１１が、転送設定情報を参照し、記憶されている転送設定情報に基づいて、外線通話の転送か、または回線の切断を行う。
【００８７】
第２の構成の場合、子機２０が子機充電器３０と接続したときに、制御回路２１は、転送設定情報を参照し、外線通話の転送が設定されていれば、充電器接続信号を親機１０に送信し、回線の切断が設定されていれば、回線切断指示信号を親機１０に送信する。充電器接続信号を受信した親機１０は、充電器接続信号を受信すると、内線着信を行い、子機２０が行っている外線通話を親機１０で行うように切り換える。回線切断指示信号を受信した親機１０は、外線通話が通信されている回線の切断を行う。
【００８８】
転送設定情報の内容は、親機１０または子機２０を設定モードで動作し、ユーザが入力部１７または入力部２７を操作することで変更可能である。
【００８９】
以上のように、子機２０から親機１０への外線通話の転送を行うかどうかを予め設定することができるので、利便性が向上する。
【００９０】
また、第２の構成の場合、予め外線通話を親機１０に転送することが設定された状態で、子機２０が子機充電器３０に接続されたときに、外線通話を実際に転送するかどうかをユーザが選択することができる。具体的には、充電器接続部２８と子機接続部３１との接続が検出されると、制御回路２１は、転送設定情報を参照する。転送設定情報に外線通話の転送が設定されていた場合、表示部２３に外線通話を転送するかどうかの確認メッセージを表示させて待機する。外線通話を転送する場合の入力部２７に対する操作と、外線通話を転送しない場合の入力部２７に対する操作とを予め設定しておき、ユーザが行った操作に応じて、子機２０の制御回路２１は、充電器接続信号または回線切断指示信号を親機１０に送信する。
【００９１】
なお、転送設定情報が記憶されていなくても外線通話を実際に転送するかどうかをユーザが選択することができる。具体的には、充電器接続部２８と子機接続部３１との接続が検出されると、制御回路２１は、表示部２３に外線通話を転送するかどうかの確認メッセージを表示させて待機する。外線通話を転送する場合の入力部２７に対する操作と、外線通話を転送しない場合の入力部２７に対する操作とを予め設定しておき、ユーザが行った操作に応じて、子機２０の制御回路２１は、充電器接続信号または回線切断指示信号を親機１０に送信する。
【００９２】
このように、子機２０を子機充電器３０に載置したときに外線通話の転送を行うかどうかを選択することができるので、利便性が向上する。
ここで、選択手段は制御回路２１および入力部２７で構成される。
【００９３】
上記では、子機２０の制御回路２１が子機２０と子機充電器３０との接続を検出する構成について説明したが、親機１０の制御回路１１が子機２０と子機充電器３０との接続を検出する構成（第３の構成）であってもよい。子機２０から親機１０に対して、所定の時間間隔で子機２０の状態を示す子機状態信号が送信され、親機側接続検出手段である親機１０の制御回路１１は、受信した子機状態信号によって子機の状態を監視し、子機２０と子機充電器３０との接続による状態の変化を検出する。第３の構成は、子機２０と子機充電器３０との接続検出以外の構成については、第１の構成と同様であり、子機２０の状態変化により子機２０と子機充電器３０との接続を検出した親機１０の制御回路１１は、転送設定情報を参照し、記憶されている転送設定情報に基づいて、外線通話の転送か、または回線の切断を行う。
【００９４】
図４は、電話装置２の電気的構成を示すブロック図である。図４（ａ）は、親機４０の構成を示すブロック図であり、図４（ｂ）は、表示部子機５０の構成を示すブロック図であり、図４（ｃ）は、子機充電器６０の構成を示すブロック図である。
【００９５】
親機４０は、制御回路４１、無線回路４２、子機接続部４３、マイク４４、スピーカ４５、アンテナ４６および入力部４７を備える。表示部子機５０は、制御回路５１、無線回路５２、表示部５３、マイク５４、スピーカ５５、アンテナ５６、入力部５７および親機接続部５８を備える。子機充電器６０は、子機接続部６１および電源制御回路６２を備える。
【００９６】
親機４０の制御回路４１は、演算処理を行うＣＰＵと記憶部を有し、記憶部に記憶している制御プログラムに基づき、親機４０全体の制御を行う親機側制御手段である。記憶部には、制御プログラム以外に、子機との無線通信を制御するための無線通信プログラム、アプリケーションプログラムなどの各種プログラム、電話番号とその使用者とを関連付けた電話帳データなどの各種データおよび後述する転送設定情報など各種設定情報が記憶される。また、制御回路４１は、公衆電話回線網との接続インターフェースとして機能し、所定のプロトコルに則って外線通話における音声信号の送受信などを行う。無線回路４２は、表示部子機５０と無線通信するためにアンテナ４６を介した音声信号の送受信、送受信する音声信号の変復調などを行う親機側無線通信手段である。子機接続部４３は、表示部子機５０の親機接続部５８と接続し、表示部５３に表示させる画像データおよび表示部子機５０内蔵蓄電池の充電電流などを、接続した表示部子機５０に出力する。マイク４４は、ユーザの音声を取り込み、音声信号として制御回路４１に出力する。スピーカ４５は、制御回路４１から入力された音声信号を音声として外部に出力する。なお、マイク４４とスピーカ４４は、ハンドセットを構成する。入力部４７は、電話番号を入力するためのダイヤルキー、内線通話の発信、受信を行うための内線キーおよび各種機能を使用するためのファンクションキーなど複数のキーで構成される。
【００９７】
表示部子機５０の制御回路５１は、演算処理を行うＣＰＵと記憶部を有し、記憶部に記憶している制御プログラムに基づき、表示部子機５０全体の制御を行う子機側制御手段である。記憶部には、制御プログラム以外に、子機との無線通信を制御するための無線通信プログラム、アプリケーションプログラムなどの各種プログラム、電話番号とその使用者とを関連付けた電話帳データなどの各種データおよび転送設定情報など各種設定情報が記憶される。無線回路５２は、親機４０と無線通信するためにアンテナ５６を介した音声信号の送受信、送受信する音声信号の変復調などを行う子機側無線通信手段である。表示部５３は、液晶表示装置などで実現され、親機接続部５８と親機４０の子機接続部４３とが接続しているときは、親機４０から入力される画像データを表示することで、親機４０の動作状態、操作メニュー、エラーメッセージなどユーザに対して各種情報を報知し、親機４０から離脱しているときは、表示部子機５０の各種情報をユーザに対して報知する。マイク５４は、ユーザの音声を取り込み、音声信号として制御回路５１に出力する。スピーカ５５は、制御回路５１から入力された音声信号を音声として外部に出力する。入力部５７は、電話番号を入力するためのダイヤルキー、内線通話の発信、受信を行うための内線キーおよび各種機能を使用するためのファンクションキーなど複数のキーで構成される。これらのキーは、表示部５３の表面上に重ね合わせたタッチパネルで実現してもよい。親機接続部５８は、親機４０の子機接続部４３と機械的かつ電気的に接続し、表示部５３に表示させる画像データ、表示部子機５０内蔵蓄電池の充電電流などが入力される。また、親機接続部５８は、前述の子機側接触端子を有し、子機充電器６０に表示部子機５０が載置されたときに子機充電器６０の子機接続部６１と接続することで子機内蔵蓄電池が充電される。
【００９８】
子機充電器６０の子機接続部６１は、表示部子機５０の充電器接続部５８の子機側接触端子と接続する充電器側接触端子を有する。電源制御回路６２は、商用交流電源を充電に使用するために、トランスおよび整流器などで最適な電圧値、電流値に調整する。
【００９９】
親機４０および表示部子機５０は、少なくとも、外線通話および内線通話を行う通話モードおよび記憶部に記憶している各種設定情報などを変更する設定モードの２つの動作モードを有し、ユーザの操作によっていずれのモードで動作するかを切り換えることができる。
【０１００】
ユーザは、親機４０の入力部４７を操作して電話番号を入力し、相手側の電話装置と外線通話を行うことができ、表示部子機５０の入力部５７を操作して電話番号を入力し、親機４０を介して外線通話を行うこともできる。また、親機４０と表示部子機５０との間で内線通話を行うこともできる。
【０１０１】
ユーザが表示部子機５０を用いて外線通話を行っているときに、親機接続部５８と子機接続部６１とが電気的に接続するように、表示部子機５０を子機充電器６０に載置すると、子機側接続検出手段である表示部子機５０の制御回路５１が、親機接続部５８と子機接続部６１との接続を検出する。この検出は、第１の実施形態と同じく、親機接続部５８内の所定の部位、たとえば接触端子における電流または電圧変化によって検出することができる。制御回路５１は、親機接続部５８と子機接続部６１との接続を検出すると、検出結果である充電器接続信号を親機４０に対して送信して、親機４０の呼び出しを行う。親機４０では、充電器接続信号を受信すると、制御回路４１が内線着信を行い、表示部子機５０が行っている外線通話を親機４０で行うように切り換える。具体的には、表示部子機５０との音声信号の無線通信を終了し、マイク４４からの音声信号の入力およびスピーカ４５への音声信号の出力を可能な状態とする。
【０１０２】
ここでユーザが親機４０に対して所定の操作を行うと、親機４０を用いて外線通話を開始することができる。所定の操作としては、入力部４７の内線キーなど予め定めたキーを押す、ハンドセットを持ち上げてオフフックにするなどの操作がある。
【０１０３】
このように、第１の実施形態と同じく、外線通話中に表示部子機５０を子機充電器６０に接続するという極めて簡単な操作で、表示部子機５０で行っていた外線通話を親機４０に転送することができる。
【０１０４】
また、第２の実施形態において、ユーザが表示部子機５０を用いて外線通話を行っているときに、親機接続部５８と子機接続部４３とが接続するように、表示部子機５０を親機０に接続した場合について説明する。
【０１０５】
親機接続部５８と子機接続部４３とが接続すると、親機側接続検出手段である親機４０の制御回路４１が、この接続を検出する。具体的には、制御回路４１が、子機接続部４３の状態、たとえば所定の接続端子における電流値または電圧値などを監視し、子機接続部４３に状態変化が生じたことを検出する。制御回路４１が、親機接続部５８と子機接続部４３との接続を検出すると、内線着信を行い、表示部子機５０が行っている外線通話を親機４０で行うように切り換える。具体的には、表示部子機５０との音声信号の無線通信を終了し、マイク４４からの音声信号の入力およびスピーカ４５への音声信号の出力を可能な状態とする。
【０１０６】
図５は、電話装置１の外線通話転送処理を示すシーケンス図である。図５（ａ）は、第１の実施形態である電話装置１のシーケンス図であり、図５（ｂ）は、第２の実施形態である電話装置２のシーケンス図である。
【０１０７】
電話装置１において、ステップＴ１では、子機２０によって外線通話が行われており、ステップＴ２で、子機２０が子機充電器３０に接続される。この接続によって、子機２０は、ステップＴ３で親機１０に充電器接続信号を送信する。
【０１０８】
ステップＴ４では、親機１０が、子機２０から充電器接続信号を受信し、ステップＴ５で内線着信を行う。ステップＴ６では、ユーザによって親機１０に通話を開始する所定の操作が行われると、ステップＴ７で親機１０によって外線通話が行われる。ステップＴ８でユーザによって親機１０に通話を終了するための操作が行われると、ステップＴ８で外線通話が行われている回線を切断する。
【０１０９】
電話装置２において、ステップＴ０で親機４０は、子機接続部４３の状態変化を監視することで、表示部子機５０の接続状態を監視している。
【０１１０】
ステップＴ１１では、表示部子機５０によって外線通話が行われており、ステップＴ１２で、表示部子機５０が親機４０に接続される。この接続は、表示部子機５０の状態監視により検出される。
【０１１１】
ステップＴ１３では、親機１０が、内線着信を行う。ステップＴ１４では、ユーザによって親機４０に通話を開始する所定の操作が行われると、ステップＴ１５で親機４０によって外線通話が行われる。ステップＴ１６でユーザによって親機４０に通話を終了するための操作が行われると、ステップＴ１７で外線通話が行われている回線を切断する。
【０１１２】
なお、電話装置２において、表示部子機５０を用いて外線通話中に表示部子機５０を子機充電器６０に接続する場合のシーケンスは、図５（ａ）に示すシーケンス図の説明で子機２０を表示部子機５０に、子機充電器３０を子機充電器６０に置き換えたものと同じである。
【０１１３】
図６は、第１の構成の電話装置１による外線通話転送処理を示すフローチャートである。
【０１１４】
ステップＳ１で、親機１０の制御回路１１は、ユーザによって設定される転送設定情報を、制御回路１１の記憶部に記憶する。ステップＳ２で、子機２０に対してダイヤルキーによる電話番号の入力など外線通話を開始するための操作が行われると、ステップＳ３で、子機２０の制御回路２１は、親機１０を介して外線通話を行う。
【０１１５】
ステップＳ４では、子機２０が外線通話を行っているときに、充電器接続部２８と子機接続部３１とが接続するように、子機２０を子機充電器３０に載置して接続すると、子機２０の制御回路２１はこの接続を検出し、親機１０に対して充電器接続信号を発信する。ステップＳ５では、親機１０は、子機２０から充電器接続信号を受信し、制御回路１１が記憶部の転送設定情報を参照することで、子機２０から親機１０に外線通話を転送するかどうかを判断する。子機２０から親機１０に外線通話を転送するように設定されている場合は、ステップＳ７に進み、転送しないように設定されている場合は、ステップＳ６に進む。
【０１１６】
ステップＳ６では、親機１０の制御回路１１は、外線通話が行われている回線を切断する。ステップＳ７では、親機１０の制御回路１１は内線着信を行うとともに、外線通話を保留する。ステップＳ８では、ユーザによって、親機１０のハンドセットが持ち上げられてオフフックされるなど、外線通話を再開するための操作が行われると、親機１０の制御回路１１は、保留を解除して外線通話を再開する。ステップＳ９で、ユーザによってハンドセットが所定の位置に戻されてオンフックされるなど、外線通話を終了するための操作が行われると、ステップＳ１０で親機１０の制御回路１１は、外線通話が行われている回線を切断する。
【０１１７】
図７は、第２の構成の電話装置１による外線通話転送処理を示すフローチャートである。
【０１１８】
ステップＳ１１で、子機２０の制御回路２１は、ユーザによって設定される転送設定情報を制御回路２１の記憶部に記憶する。ステップＳ１２で、子機２０に対してダイヤルキーによる電話番号の入力など外線通話を開始するための操作が行われると、ステップＳ１３で、子機２０の制御回路２１は、親機１０を介して外線通話を行う。
【０１１９】
ステップＳ１４では、子機２０が外線通話を行っているときに、充電器接続部２８と子機接続部３１とが接続するように、子機２０を子機充電器３０に載置して接続すると、子機２０の制御回路２１はこの接続を検出する。ステップＳ１５では、子機２０の制御回路２１は、記憶部の転送設定情報を参照することで、子機２０から親機１０に外線通話を転送するように設定されているかどうかを判断する。子機２０から親機１０に外線通話を転送するように設定されている場合は、ステップＳ１７に進み、転送しないように設定されている場合は、ステップＳ１６に進む。
【０１２０】
ステップＳ１６では、子機２０が親機１０に回線切断指示信号を送信し、回線切断指示信号を受信した親機１０の制御回路１１は、外線通話が行われている回線を切断する。ステップＳ１７では、子機２０の制御回路２１は、表示部２３に外線通話を転送するかどうかの確認メッセージを表示し、ユーザの操作に基づいて外線通話を転送するかどうかを判断する。外線通話を転送する場合は、ステップＳ１８に進み、外線通話を転送しない場合は、ステップＳ１６に進む。
【０１２１】
ステップＳ１８では、親機１０の制御回路１１は内線着信を行うとともに、外線通話を保留する。ステップＳ１９では、ユーザによって、親機１０のハンドセットが持ち上げられてオフフックされるなど、外線通話を再開するための操作が行われると、親機１０の制御回路１１は、保留を解除して外線通話を再開する。ステップＳ２０で、ユーザによってハンドセットが所定の位置に戻されてオンフックされるなど、外線通話を終了するための操作が行われると、ステップＳ２１で親機１０の制御回路１１は、外線通話が行われている回線を切断する。
【０１２２】
電話装置１，２では、外線通話を転送するときに、親機１０が行う内線着信の継続時間を設定することができる。具体的には、内線着信時間記憶手段である親機１０の記憶部に内線着信時間設定情報として所定の時間を記憶し、内線着信を開始してから記憶されている時間が経過した時点で、回線の切断または子機による外線通話の復帰などの処理を行う。
【０１２３】
図８は、内線着信の継続時間を設定した電話機１による外線通話転送処理を示すフローチャートである。
【０１２４】
ステップＳ３１で、親機１０の制御回路１１は、ユーザによって設定される転送設定情報および内線着信時間設定情報を制御回路１１の記憶部に記憶する。ステップＳ３２で、子機２０に対してダイヤルキーによる電話番号の入力など外線通話を開始するための操作が行われると、ステップＳ３３で、子機２０の制御回路２１は、親機１０を介して外線通話を行う。
【０１２５】
ステップＳ３４では、子機２０が外線通話を行っているときに、充電器接続部２８と子機接続部３１とが接続するように、子機２０を子機充電器３０に載置して接続すると、子機２０の制御回路２１はこの接続を検出する。ステップＳ３５では、子機２０の制御回路２１は、記憶部の転送設定情報を参照することで、子機２０から親機１０に外線通話を転送するように設定されているかどうかを判断する。子機２０から親機１０に外線通話を転送するように設定されている場合は、ステップＳ３７に進み、転送しないように設定されている場合は、ステップＳ３６に進む。
【０１２６】
ステップＳ３６では、子機２０が親機１０に回線切断指示信号を送信し、回線切断指示信号を受信した親機１０の制御回路１１は、外線通話が行われている回線を切断する。ステップＳ３７では、子機２０の制御回路２１は、表示部２３に外線通話を転送するかどうかの確認メッセージを表示し、ユーザの操作に基づいて外線通話を転送するかどうかを判断する。外線通話を転送する場合は、ステップＳ３８に進み、外線通話を転送しない場合は、ステップＳ３６に進む。
【０１２７】
ステップＳ３８では、親機１０は内線着信を行うとともに、外線通話を保留し、制御回路１１のタイマーをスタートする。ステップＳ３９では、親機１０の制御回路１１は、ユーザによって、親機１０のハンドセットが持ち上げられてオフフックされるなど、外線通話を開始するための操作が行われたかどうかを判断する。外線通話を開始するための操作が行われていればステップＳ４１に進み、操作が行われていなければステップＳ４０に進む。ステップＳ４０では、制御回路１１は、タイマーが示す時間、すなわち、内線着信が開始されてから現在までの経過時間と、記憶部に記憶されている内線着信時間設定情報とを比較し、内線着信が開始してから所定の時間が経過したかどうかを判断する。所定時間が経過していればステップＳ３６に進み、所定時間経過が経過していなければステップＳ３９に戻る。
【０１２８】
ステップＳ４１では、親機１０の制御回路１１は、保留を解除して外線通話を再開する。ステップＳ４２で、ユーザによってハンドセットが所定の位置に戻されてオンフックされるなど、外線通話を終了するための操作が行われると、ステップＳ４３で親機１０の制御回路１１は、外線通話が行われている回線を切断する。
【０１２９】
なお、ステップＳ４０で、所定時間が経過していればステップＳ３６に進んで回線の切断を行う処理となっているが、これに限らず転送しようとした子機２０が外線通話を再開するようにしてもよい。
【０１３０】
また、図８のフローチャートでは、第２の構成の電話装置１が行う外線通話転送処理を示したが、ステップＳ３１、ステップＳ３８〜ステップＳ４０の処理を行うことで、第１の構成の電話装置１および第２の実施形態である電話装置２であっても、内線着信の継続時間を設定することが可能である。内線着信時間設定情報は、親機１０を設定モードで動作させ、ユーザが入力部１７を操作することによって変更することができる。変更は、たとえばユーザが、秒単位で任意に時間を入力してもよいし、複数の候補の中から選択してもよい。さらに、継続時間を設定するのではなく、内線着信時の呼び出しベルの鳴動回数を設定するようにしてもよい。
【０１３１】
以上のように、継続時間を設定しておくことにより、転送先の親機を操作するユーザがいないような場合であっても、親機における内線着信を所定の時間で終了させることができる。
【０１３２】
電話装置１の場合、子機２０ａが行う外線通話の転送先としては、親機１０のみならず、他の子機２０ｂ，２０ｃであってもよい。具体的には、第１の構成の電話装置１において、外線転送先記憶手段である親機１０の記憶部に、外線転送先情報として子機２０が子機充電器３０と接続したときの転送先を記憶しておく。たとえば、子機２０ａからの転送先は親機１０および子機２０ｂ、子機２０ｂからの転送先は親機１０、子機２０ａおよび子機２０ｃ、子機２０ｃからの転送先は子機２０ａおよび子機２０ｂなど、子機ごとに転送先を記憶しておく。親機１０は、子機２０から送信された充電器接続信号を受信すると、外線転送先情報を参照し、外線転送先情報に設定されている転送先の内線着信を行う。
【０１３３】
図９は、外線転送先を設定した電話装置１による外線通話転送処理を示すフローチャートである。
【０１３４】
ステップＳ５１で、親機１０の制御回路１１は、ユーザによって設定される転送設定情報を制御回路１１の記憶部に記憶する。ステップＳ５２で、制御回路１１は、ユーザによって設定される外線転送先情報を制御回路１１の記憶部に記憶する。
【０１３５】
ここでは、子機２０ａが外線通話を行い、外線転送先情報として親機１０および子機２０ｂを転送先に設定した場合を考える。
【０１３６】
ステップＳ５３では、子機２０ａに対してダイヤルキーによる電話番号の入力など外線通話を開始するための操作が行われると、ステップＳ５４で、子機２０ａの制御回路２１は、親機１０を介して外線通話を行う。
【０１３７】
ステップＳ５５では、子機２０ａが外線通話を行っているときに、充電器接続部２８と子機接続部３１とが接続するように、子機２０ａを子機充電器３０ａに載置して接続すると、子機２０ａの制御回路２１はこの接続を検出し、親機１０に対して充電器接続信号を発信する。ステップＳ５６では、親機１０の制御回路１１は、子機２０ａから充電器接続信号を受信し、記憶部の転送設定情報を参照することで、子機２０ａから外線通話を転送するように設定されているかどうかを判断する。子機２０ａから外線通話を転送するように設定されている場合は、ステップＳ５８に進み、転送しないように設定されている場合は、ステップＳ５７に進む。
【０１３８】
ステップＳ５７では、親機１０の制御回路１１は、外線通話が行われている回線を切断する。ステップＳ５８では、親機１０の制御回路２１は、外線転送先情報を参照し、転送先の着信なり分けを行うとともに、外線通話を保留する。
【０１３９】
ステップＳ５９では、外線転送先情報に設定されている親機１０および子機２０ｂが内線着信を行う。ステップＳ６０では、ユーザによって、転送先として設定された親機１０または子機２０ｂのいずれかに対して、たとえば親機１０であれば、ハンドセットが持ち上げられてオフフックされるなど、外線通話を開始するための操作が行われると、親機１０の制御回路１１は、保留を解除して外線通話を再開する。このとき、子機２０ｂに対しては外線通話を開始する操作が行われないので、子機２０ｂの制御回路２１は内線着信を終了する。ステップＳ６１で、ユーザによってハンドセットが所定の位置に戻されてオンフックされるなど、外線通話を終了するための操作が行われると、ステップＳ６２で親機１０の制御回路１１は、外線通話が行われている回線を切断する。
【０１４０】
以上のように、親機だけでなく他の子機にも外線通話を転送することができるので、利便性が向上する。
【０１４１】
本発明の実施形態としては、電話装置１と電話装置２とを複合させた電話装置、すなわち１または複数の子機と表示部子機とのいずれも備えた電話装置であってもよい。
【０１４２】
なお、電話装置１，２において、外線通話を保留している間は、相手側の電話装置に対して、転送を行っていることを示す音声メッセージを送信したり、保留音を送信してもよい。
【図面の簡単な説明】
【０１４３】
【図１】本発明の第１の実施形態である電話装置１の構成を示す図である。
【図２】本発明の第２の実施形態である電話装置２の構成を示す図である。
【図３】電話装置１の電気的構成を示すブロック図である。
【図４】電話装置２の電気的構成を示すブロック図である。
【図５】電話装置１の外線通話転送処理を示すシーケンス図である。
【図６】第１の構成の電話装置１による外線通話転送処理を示すフローチャートである。
【図７】第２の構成の電話装置１による外線通話転送処理を示すフローチャートである。
【図８】内線着信の継続時間を設定した電話機１による外線通話転送処理を示すフローチャートである。
【図９】外線転送先を設定した電話装置１による外線通話転送処理を示すフローチャートである。
【符号の説明】
【０１４４】
１，２  電話装置
１０，４０  親機
１１，２１，４１，５１  制御回路
１２，２２，４２，５２  無線回路
１３，２３，５３  表示部
１４，２４，４４，５４  マイク
１５，２５，４５，５５  スピーカ
１６，２６，４６，５６  アンテナ
１７，２７，４７，５７  入力部
２０  子機
２８  充電器接続部
３０，６０  子機充電器
３１，６１  子機接続部
３２，６２  電源制御回路
４３  子機接続部
５０  表示部子機
５８  親機接続部
【図３】
2005094139.tif 000003
【図４】
2005094139.tif 000004
【図５】
2005094139.tif 000005
【図６】
2005094139.tif 000006
【図７】
2005094139.tif 000007
【図８】
2005094139.tif 000008
【図９】
2005094139.tif 000009
【図１】
2005094139.tif 000010
【図２】
2005094139.tif 000011